(57)【特許請求の範囲】
【請求項１】
広告等の表示を備えた幕について、当該幕を張った状態に建物等の建造物へ取り付ける幕保持部材であって、
前記建造物へ取り付けられる基体と、基端側が前記基体へ軸止されて前記基体に対し回動することができる屈伸部材とを備え、
前記屈伸部材は、前記回動にて先端側を前記基体に対し屈伸できるものであり、
前記幕が張られる前記基体の前面を正面として、屈伸部材の前記屈伸は、前記屈伸部材を前記基体の前面に対し開閉するものであり、屈伸部材の前記屈伸により前記基体の正面視において前記基体に対する屈伸部材の前記先端側の向きを変えることができ、
前記幕保持部材は、前記幕の一端を保持する第１保持部を備え、
前記屈伸部材は、先端側に前記幕の他の一端を保持する第２保持部を備え、
前記第２保持部にて前記幕を保持した前記屈伸部材について、前記先端側を屈した状態から伸ばすことにて、前記基体に対し前記幕を、張った状態にセットすることができるものであり、
前記屈伸部材の基端は、ヒンジにて前記基体の前面へ軸止され、前記屈伸部材は前記回動により前記基体の前面に対し開閉することができ、
前記屈伸部材の前記基端は、前記幕を張る方向に対し斜めに交差する斜辺であり、
前記斜辺の一端は、前記屈伸部材を伸ばした状態において前記斜辺の他の一端よりも前記屈伸部材の先端側に位置し、
前記屈伸部材は、閉じることにて前記基体に対し先端側を屈した状態にでき開くことにて前記先端側を伸ばすことができる幕保持部材。
【請求項２】
広告等の表示を備えた幕について、当該幕を張った状態に建物等の建造物へ取り付ける幕保持部材であって、
前記建造物へ取り付けられる基体と、基端側が前記基体へ軸止されて前記基体に対し回動することができる屈伸部材とを備え、
前記屈伸部材は、前記回動にて先端側を前記基体に対し屈伸できるものであり、
前記幕保持部材は、前記幕の一端を保持する第１保持部を備え、
前記屈伸部材は、先端側に前記幕の他の一端を保持する第２保持部を備え、
前記第２保持部にて前記幕を保持した前記屈伸部材について、前記先端側を屈した状態から伸ばすことにて、前記基体に対し前記幕を、張った状態にセットすることができ、
前記幕が張られる前記基体の前面を正面として、屈伸部材の前記屈伸は、前記屈伸部材を前記基体の前面に対し開閉するか或いは前記基体の前面に沿って前記屈伸部材を回転させるものであり、屈伸部材の前記屈伸により前記基体の正面視において前記基体に対する屈伸部材の前記先端側の向きを変えることができ、
前記幕が張られる前記基体の前面を幕保持部材の正面として、前記屈伸部材を伸ばすことにより、前記幕を張る方向に対する正面視した幕保持部材全体の幅を大きくするものである幕保持部材。
【請求項３】
前記屈伸部材は、前記基体の左右の夫々に備えられ、
前記左右の両屈伸部材は夫々、前記基体に対し先端側を下方へ屈した状態から回転にて先端側を左右横方向へ向けることにて前記幕保持部材を前記基体よりも左右に伸ばした状態とすることができ、
基体の前記左側の屈伸部材が前記第１保持部を備え、基体の前記右側の屈伸部材が前記第２保持部を備える請求項１又は２に記載の幕保持部材。
【請求項４】
コンビニエンスストア等の店舗の建物に既設の幕保持部材の受け部を利用して前記基体が前記建物へ取り付けられるものであり、前記受け部は、上下方向について前記建物の出入り口の上方に設けられたものであり、
前記受け部は、前記基体の後方から前記基体の上端及び下端を越えて前記基体の前面側へ先端を配置する上下の鉤部を備えた治具であり、
幕保持部材の正面視において、前記左屈伸部材の基部は右上から左下の方向へ斜めに伸びる斜辺でありヒンジを介して前記基体の前面へ固定され、前記右屈伸部材の基部は左上から右下の方向へ斜めに伸びる斜辺でありヒンジを介して前記基体の前面へ固定され、
左右の両屈伸部材の先端側を閉じることにて左右の両屈伸部材の先端を上下方向について少なくとも前記出入り口の上縁よりも下方に配置させることができ、
左右の前記屈伸部材と、前記基体の少なくとも一方には、伸ばした状態に前記屈伸部材を留める留具が設けられた請求項３に記載の幕保持部材。
【発明の詳細な説明】
【技術分野】
【０００１】
本願発明は、幕保持部材に関する。
【背景技術】
【０００２】
店舗、特にコンビニエンスストアにおいて、図１０（Ａ）へ矢印で示すように出入り口ｃ１の頭上に新商品や期間限定の商品やサービスを表示する横断幕ｏを掲げることが一般的になっている。
特に最近では、図１０（Ｂ）へ示す上記の横断幕ｏを張った枠ｂを取り付けるための受け部となる治具ａが当初よりコンビニエンスストアの建物ｃ側へ設置されていることが珍しくない。
上記横断幕ｏを張った枠ｂは、当該治具ａを利用して建物ｃへ取り付けられるものであり、上記治具ａは、上下方向について建物ｃの出入り口ｃ１の上方に設けられたものである。上記治具ａは、上記枠ｂを取り付けた状態において、上記枠ｂの後方から枠ｂの上端ｂ１及び下端ｂ２を越えて枠ｂの前面側へ先端を配置する上下の鉤部ａ１，ａ２を備える。
治具ａの上鉤部ａ１は、治具ａと別体に形成されている。枠ｂを治具ａの下鉤部ａ２の内側へ配置した後、治具ａの上鉤部ａ１は、ネジａ３にて治具ａへ取り付けられて、上記の通り枠ｂの上端ｂ１を越えて枠ｂの上部前面側へ位置するものとなる。上記上鉤部ａ１の治具ａへの装着により、枠ｂは上記建物へ固定される。
【０００３】
一方、コンビニエンスストアにおいて、期間限定の商品やキャンペーンの告知など比較的短期間に広告内容を変更する必要があり、頻繁に上記横断幕ｏが交換される。
このため上記治具ａの設置の他それまでも、横断幕ｏの枠ｂへの取り付け・取り外しの手間やコストを低減しようと、種々の提案がなされている（特許文献１〜５）
【０００４】
例えば、特許文献１には、所要の間隔で設置された少なくとも２本の軸を有し、それらの軸に幕の両端部をそれぞれ取り付けて幕を張設するための装置であって、２本の軸をともに回転軸とし、両回転軸を、回転方向の切り替えが可能なラチェット機構によって、正逆方向へ選択的に回転可能に形成し、両回転軸に幕の両端部をそれぞれ巻き付け、かつ、巻き付け方向へ回転させることによって幕を張設し、上記の幕に設けられている表示を展張させる両軸回転式幕張装置が示されている（請求項１、図１〜図８）。
【０００５】
特許文献１に示されたものは、枠全体を交換せずに横断幕の交換のみで、新たな広告の表示を可能とするものであり、上記回転軸の回転方向を選択することで、幕を緊張させて展張状態にすることも、逆に緩めて弛んだ状態にすることも自由とされる。
【０００６】
特許文献２には、横断幕が矩形の枠組みの裏側に納めて張られるように、前面壁と外側壁とからなる略Ｌ字形断面形状の竪横フレームで枠組みがなされることにより、裏側に竪横フレームに沿ってその断面Ｌ字形の内角空間が横断幕の前記納まり用として有するフレーム本体と、その本体の裏側の左右両端部に、横断幕の端を掛け止めやすく横方向へ開閉するようにそれぞれ取り付けられる左右一対のテンション枠とからなり、そのテンション枠は、横断幕を掛け止めるテンションバーの上下両端に鞘状アームを連結することにより、竪フレームと上下横フレームに沿って前記内角空間に納まるコ字形の枠状であって、テンション枠を横方向へ開閉させる取付けについて、上下の横フレームに鞘状アームが挿入される取付軸を前記開閉のため反転可能に軸支し、その軸支の構造については、上下の横フレームに基板を取り付け、基板に取付軸の基端が回転軸で連結された横断幕用フレームが示されている（請求項１、図１〜図９）。
【０００７】
特許文献２に示されたものは、高所での幕を張る作業が上下共に同じ横方向の操作となる横断幕用フレームの提供を目的とする旨記載されている（明細書の段落番号０００５及び０００６）。
【０００８】
特許文献３には、可動係止具とガイド部材と固定係止具とを備え、固定係止具は、躯体から垂下する柱体を有し、柱体は一側に収納部を柱体の長手方向にわたって有すると共に収納部内に横断幕の一端を係止する垂直な棒状係止部が収納してあり、ガイド部材は、可動係止具を摺動自在に支持するレール部を長手方向にわたって有していると共に、可動係止具位置決め用の被係合部を長手方向に複数有し、固定係止具と左右方向に間隔をあけて躯体に固定してあり、可動係止具は、ガイド部材のレール部に沿って摺動する摺動部と、摺動部に設けた係合部と、摺動部から垂下する垂直な柱体とを有し、柱体は、一側に収納部を柱体の長手方向にわたって有すると共に収納部内に横断幕の他端を係止する棒状係止部が収納してあり、固定係止具及び可動係止具の柱体は、一側面に開口する開口部を有し、収納部に棒状係止部の下端部を水平軸を介して軸着してあり、棒状係止部は回動して開口部から突出自在となっている幕張装置が示されている（請求項１、図４〜図７）。
【０００９】
特許文献３の幕張装置は、枠状に構成されておらず、幕を張るための複雑な機構を必要としないため、構造が簡素で安価に製作することができ、幕張り作業は、横断幕の左右両端に筒状の被係止部を設けておき、そこに固定係止具と可動係止具の棒状係止部を差し込んで係止させ、可動係止具を固定係止具から離間する方向にガイド部材に沿って移動させ、幕を張った状態で可動係止具を位置決めすることで、簡単に短時間で行うことができ、しかも横断幕は、垂直な棒状係止部で左右に強く引っ張られ、且つ可動係止具は係合部がガイド部材の被係合部に係合して移動しないため、幕の上下ともに弛みが生じることがなくきれいに張ることができ、その状態を長期間維持でき、棒状係止部を回動して柱体から突出させることで、横断幕の端を棒状係止部に容易に係止させることができ、横断幕の取付け・取り外し作業が一層容易に行えるとされる（明細書の段落番号０００８）。
【００１０】
特許文献４には、横に長い矩形の各辺に横断幕の掛止手段を備えた張着フレームであって、そのうち、左右いずれか一端の掛止手段については、横断幕をばねの弾力で引くための突張り付勢装置を備え、さらに、上／又は前記一端の掛止手段が両端部間の横移動可能なスライダーに装備された横断幕の張着フレームが示されている（請求項１、図１〜７）。
【００１１】
特許文献４に示されたものは、横断幕を張る際、突張り付勢装置を備えている側と反対の側の掛止手段に掛け止めてから、スライダーをその側に寄せた状態において、スライダーに装備される掛止手段に掛けることによって、横断幕の先端部を吊り下げ状態において他端に導き、その他端における突張り付勢装置により、横断幕を横に緊張でき、また、各辺の掛止手段により安定した張り付け状態が得られ、横断幕の張り作業が容易となり、また、弛みなく緊張して張ることができるとされる（明細書の段落番号０００６及び０００８）。
【先行技術文献】
【特許文献】
【００１２】
【特許文献１】特開２０１１−５３３４７公報
【特許文献２】特許第３４７３９４０号公報
【特許文献３】特許第４４１１１２７号公報
【特許文献４】実用新案登録第３０３４１９８号公報
【発明の概要】
【発明が解決しようとする課題】
【００１３】
しかし、本願に添付の図１０（Ａ）（Ｂ）へ示す治具ａを利用するものも上記の特許文献１〜４へ示す何れのものも、建物へ取り付けた後の幕の交換をより簡便に行うためには更に改良の余地がある。具体的には、枠への幕のセットをワンタッチで行える手軽さを備えたものは、上記従来の枠の何れにもない。
特に、本願に添付の図１０（Ａ）（Ｂ）へ示すものも更に特許文献１〜４へ示すものも、横断幕を建物へ設置した後の横断幕交換の際には、横断幕ｏの張られた枠ｂをいちいち建物から下ろす即ち治具ａから横断幕ｏを張った枠ｂを外したり（図１０（Ｂ））、或いは高所での横断幕の交換を行うといった必要がある（特許文献１〜４）。
従って、上記何れの場合も、脚立を立てて作業を行う必要や２名以上で当該作業を行う必要があり、安全性や作業の習熟の必要性やその手間、人員に要するコストを無視できるものではないのである。
本発明は、上記枠への幕のセットをより簡単なものとして上記問題の解決を図る。
【課題を解決するための手段】
【００１４】
本発明は、広告等の表示を備えた幕について、当該幕を張った状態に建物等の建造物へ取り付ける幕保持部材であって、前記建造物へ取り付けられる基体と、基端側が前記基体へ軸止されて前記基体に対し回動することができる屈伸部材とを備え、前記屈伸部材は、前記回動にて先端側を前記基体に対し屈伸できるものであり、前記幕保持部材は、前記幕の一端を保持する第１保持部を備え、前記屈伸部材は、先端側に前記幕の他の一端を保持する第２保持部を備え、前記第２保持部にて前記幕を保持した前記屈伸部材について、前記先端側を屈した状態から伸ばすことにて、前記基体に対し前記幕を、張った状態にセットすることができる幕保持部材を提供する。
上記の広告等の表示というのは、広告は勿論、幕にて表示することが可能な他の内容のものも含む。例えば上記の広告等の表示には、講堂や会議室で催される集会について、集会を行う建物の出入り口にて集会の会場であることを示す表示を含むものである。
また本発明では、前記屈伸部材は、前記基体の左右の夫々に備えられ、前記左右の両屈伸部材は夫々、前記基体に対し先端側を下方へ屈した状態から回転にて先端側を左右横方向へ向けることにて前記幕保持部材を前記基体よりも左右に伸ばした状態とすることができ、前記左屈曲部材が前記第１保持部を備え、前記右屈曲部材が前記第２保持部を備える幕保持部材を提供できた。
更に本発明では、前記屈伸部材の基端は、ヒンジにて前記基体の前面へ軸止され、前記屈伸部材は前記回動により前記基体の前面に対し開閉することができ、前記屈伸部材の前記基端は、前記幕を張る方向に対し斜めに交差する斜辺であり、前記斜辺の一端は、前記屈伸部材を伸ばした状態において前記斜辺の他の一端よりも前記屈伸部材の先端側に位置し、前記屈伸部材は、閉じることにて前記基体に対し先端側を屈した状態にでき開くことにて前記先端側を伸ばすことができる幕保持部材を提供できた。
また更に本発明では、コンビニエンスストア等の店舗の建物に既設の幕保持部材の受け部を利用して、前記基体が前記建物へ取り付けられるものであり、前記受け部は、上下方向について前記建物の出入り口の上方に設けられたものであり、前記受け部は、前記基体の後方から前記基体の上端及び下端を越えて前記基体の前面側へ先端を配置する上下の鉤部を備えた治具であり、幕保持部材の正面視において、前記左屈伸部材の基部は右上から左下の方向へ斜めに伸びる斜辺でありヒンジを介して前記基体の前面へ固定され、前記右屈伸部材の基部は左上から右下の方向へ斜めに伸びる斜辺でありヒンジを介して前記基体の前面へ固定され、左右の両屈伸部材の先端側を閉じることにて左右の両屈伸部材の先端を上下方向について少なくとも前記出入り口の上縁よりも下方に配置させることができ、左右の前記屈伸部材と前記基体の少なくとも一方には、伸ばした状態に前記屈伸部材を留める留具が設けられた幕保持部材を提供できた。
上記のコンビニエンスストア等の店舗というのは、コンビニエンスストアを含む他、コンビニエンスストア以外の店舗を含む意である。例えば、上記のコンビニエンスストア等の店舗には、ファーストフード店やレストランを含む飲食店、ボーリング場やパチンコ店を含むゲームセンター、スーパーマーケット、映画館、浴場、スポーツジム、ガソリンスタンド、自動車販売店、自動車用品店、住宅展示場、ホームセンター、道の駅その他の商業施設、更には、総菜屋、菓子屋、弁当屋などの仕出しの店、スポーツ用品店、衣料品店、靴屋、袋物店、装飾品店、時計店などの身の回り品や文具店、書店などの各種販売店といった街頭の専門店の店舗や、コインランドリーの店舗、クリーニング店の店舗、携帯電話会社の店舗、保険会社の店舗、自動車会社の店舗、ＫＩＯＳＫその他の鉄道の駅構内や空港内の各種店舗も含む。
【発明の効果】
【００１５】
上記構成を採る本発明では、幕のセットがより簡単な幕保持部材を提供できた。即ち、幕を保持する上記の屈伸部材を設けることにより、当該屈伸部材の先端側を屈した状態から伸ばすという簡単な動作で、基体に対し幕を張った状態にセットすることができる。
また、上記の屈伸部材を基体の左右の夫々に備えることによって、横断幕のセットに適した幕保持部材を提供できた。
更に上記屈伸部材について回動にて基体の前面に対し開閉することを可能とすることによって、当該開閉という、より簡便な動作にて確実に幕を張ることができる。
また更に上記幕保持部材を、コンビニエンスストア等の建物に既設の治具を利用して取り付けられるものとした。特に一旦当該治具へ幕保持部材を取り付けた後の、幕の交換作業については地上で行える簡単なものとした。従って従来の、コンビニエンスストアの軒先に脚立を立てて２人以上で幕の交換作業を行う必要性を本発明はなくした。幕交換のためた屈伸部材を屈する際には、大方の成人では手を伸ばしたり背伸びして上記留具を直接操作し、また小柄な者など手が届かない場合では留具を地上から長尺のフック（鉤棒）で引っ掛けて操作し、留具に留められていた屈伸部材の固定を解除すればよい。
【図面の簡単な説明】
【００１６】
【図１】（Ａ）は本願発明の一実施の形態に係る幕保持部材の屈伸部材を伸ばした状態の平面図、（Ｂ）は（Ａ）の正面図、（Ｃ）は（Ｂ）の右側面図、（Ｄ）は（Ｂ）の底面図、（Ｅ）は（Ｂ）に示す幕保持部材の屈伸部材を屈した状態の正面図、（Ｆ）は（Ｅ）の右側面図。
【図２】（Ａ）は図１（Ｂ）のＷ−Ｗ断面図、（Ｂ）は図１（Ｂ）のＸ−Ｘ断面図、（Ｃ）は図１（Ｂ）のＹ−Ｙ断面図、（Ｄ）は図１（Ｅ）のＺ−Ｚ断面図。
【図３】（Ａ）は図１（Ｂ）へ示す幕保持部材の主として正面側を見せる斜視図、（Ｂ）は（Ａ）の屈伸部材を屈した状態の斜視図。
【図４】（Ａ）は図１（Ｅ）へ示す幕保持部材の主として背面側を見せる斜視図、（Ｂ）は（Ａ）の屈伸部材を屈した状態の斜視図。
【図５】（Ａ）は図２（Ｂ）へ示す作動制御部について屈伸部材を伸ばしたときの要部拡大断面図、（Ｂ）は（Ａ）の作動制御部について屈伸部材を屈する方向へ作動させ始めたときの要部拡大断面図、（Ｃ）は（Ｂ）の作動制御部について更に屈伸部材を屈する方向へ作動させたときの要部拡大断面図。
【図６】（Ａ）は図５（Ｃ）の作動制御部について更に屈伸部材を屈する方向へ作動させたときの要部拡大断面図、（Ｂ）は（Ａ）の作動制御部についてまた更に屈伸部材を屈する方向へ作動させたときの要部拡大断面図、（Ｃ）は（Ｂ）は作動制御部について更にまた屈伸部材を屈する方向へ作動させ当該作動が完了したときの要部拡大断面図。
【図７】（Ａ）は幕ｏ取り付け前の屈伸部材先端において保持部が備える取付部とその周辺の拡大断面図、（Ｂ）は（Ａ）の保持部の取付部への幕ｏ取り付けの様子を示す拡大断面図、（Ｃ）は（Ａ）の保持部の取付部への幕ｏの取り付けが完了した状態を示す拡大断面図、（Ｄ）は取付部への幕ｏの取り付けが完了した状態の第１取付部とその周辺を示す拡大断面図。
【図８】（Ａ）は図１（Ｅ）及び図３（Ｂ）、図４（Ｂ）へ示す屈伸部材を屈した状態にして幕を取り付けた幕保持部材の正面図、（Ｂ）は（Ａ）の幕保持部材について屈伸部材を伸ばして幕のセットを完了した状態の正面図。
【図９】（Ａ）は他の実施の形態における屈伸部材を屈した状態の保持部とその周辺の拡大断面図、（Ｂ）は（Ａ）の保持部へ幕を取り付ける途中の状態を示す拡大断面図、（Ｃ）は（Ａ）の保持部への幕の取付けを完了した状態を示す拡大断面図。
【図１０】（Ａ）はコンビニエンスストア出入り口の横断幕を示す説明図、（Ｂ）は（Ａ）はコンビニエンスストアが備える既設の治具を利用して従来の横断幕が張られた枠を付け外しする状態を示す斜視図。
【発明を実施するための形態】
【００１７】
以下、図面に基づき本願発明の実施の形態を説明する。
ここでは、特にコンビニエンスストアの建物へ、商品広告やキャンペーンの表示を備えた幕を張るのに使用する幕保持部材について示す。勿論コンビニエンスストアの建物に使用することや幕の上記表示は単なる例示であり、他の建物に使用したり、商品広告やキャンペーン以外の表示を備えた幕を張るのに用いて実施することも可能である。
【００１８】
（基本構成）
図１及び図８へ示す通り、この幕保持部材１は、基体２と、２つの屈伸部材３と、２つの保持部４と、２つの留具５と、２つの作動制御部６とを備える。この例は、図１０（Ｂ）へ示すコンビニエンスストアの軒へ設けられた既設の治具ａを利用して取り付ける幕保持部材１に関する。
各部の構成について具体的に説明する。  
【００１９】
（基体２）
基体２は、コンビニエンスストアの軒に設けられた治具ａへ着脱自在に取り付けることができる枠体である。
図１及び図３、図４へ示す通り、基体２は、横桟である上辺部２１と下辺部２２、更に縦桟である左辺部２３と右辺部２４とにて、矩形に象られた枠である。
上辺部２１は、上桟として基体２の上部にて左右横方向へ伸びる棒材である。下辺部２２は、下桟として基体２の下部にて左右横方向へ伸びる棒材である。左辺部２３は縦桟即ち左側の立桟として基体２の左側にて上下に伸びる棒材である。右辺部２４は右側の立桟として基体２の右側にて上下に伸びる棒材である。
【００２０】
左辺部２３の上端が上辺部２１の左端寄りに設けられており、左辺部２３の下端が下辺部２２の左端に設けられている。特に左辺部２３の上端部の前面が上辺部２１の左端側の背面へ固定され、左辺部２３の下端部の前面が下辺部２２の左端側の背面へ固定されている。このため、左辺部２３は、上辺部２１と下辺部２２の夫々に対して上辺部２１と下辺部２２の夫々の前後の厚み分、後方へ後退した位置に配置される。
また右辺部２４の上端が上辺部２１の右端寄りに設けられており、右辺部２４の下端が下辺部２２の右端に設けられている。特に右辺部２４の上端部の前面が上辺部２１の右端側の背面へ固定され、右辺部２４の下端部の前面が下辺部２２の右端側の背面へ固定されている。このため、右辺部２４は、上辺部２１と下辺部２２の夫々に対して上辺部２１と下辺部２２の夫々の前後の厚み分、後方へ後退した位置に配置される。
【００２１】
図１（Ｂ）（Ｅ）へ示す通り、この例では、上辺部２１と下辺部２２は互いの間に間隔を開けて、左右へ互いに平行に伸びる。但し上辺部２１と下辺部２２とは略横方向に伸びるものであれば互いに平行でなくてもよく、また横方向の一部のみが平行となるものであってもよい。また、左辺部２３と右辺部２４は互いの間に間隔を開けて、上下へ互いに平行に伸びる。但し左辺部２３と右辺部２４とについても略縦方向について伸びるものであれば互いに平行でなくてもよく、また縦方向の一部のみが平行となるものであってもよい。
上辺部２１は下辺部２２より長く、横方向について上辺部２１は下辺部２２よりも左右に突出する、突出端部２１ａを備える。突出端部２１ａには後述する閂鎹部５５が設けられる。
【００２２】
図１（Ｂ）（Ｅ）へ示す通り、横方向について左辺部２３と右辺部２４の間には、左中桟２５と右中桟２６とが設けられている。右中桟２６は左中桟２５の右側へ位置する。左中桟２５と右中桟２６とは共に上辺部２１と下辺部２２とに掛け渡された棒材である。左中桟２５と右中桟２６とには、夫々屈伸部材３が軸止される。即ち左中桟２５と右中桟２６は夫々屈伸部材３の取付け部をなすものである。
【００２３】
左右横方向について、上辺部２１へ固定される左中桟２５の一端に対し下辺部２２へ固定される左中桟２５の他の一端は、左側へ位置する。即ち、左中桟２５は正面視において右上から左下へ向け左右方向に対し斜めに伸びる。左中桟２５は上辺部２１に対して約４５度の挟角をなすのが好ましい。
左右横方向について、上辺部２１へ固定される右中桟２６の一端に対し下辺部２２へ固定される右中桟２６の他の一端は、右側へ位置する。即ち、右中桟２６は正面視において左上から右下へ向け左右方向に対し斜めに伸びる。右中桟２６は上辺部２１に対して約４５度の挟角をなすのが好ましい。
但し屈伸部材３の開閉を円滑に行えるものであれば、左右の中桟２５．２６のなす上記角度は何れも変更可能である。
また、左中桟２５の下端は下辺部２２の左端よりも右側へ間隔を開けて配置され、右中桟２６の下端は下辺部２２の右端よりも左側へ間隔を開けて配置される。
【００２４】
左中桟２５の上端面は上辺部２１の下面へ固定され、左中桟２５の下端面は下辺部２２の上面へ固定されている。
幕保持部材１の前後方向について、上辺部２１及び下辺部２２夫々の正面と、左中桟２５の正面とは同じ位置にあり面一となるのが好ましい。
右中桟２６の端面も上辺部２１の下面へ固定され、右中桟２６の下端面も下辺部２２の上面へ固定されている。
幕保持部材１の前後方向について、上辺部２１及び下辺部２２夫々の正面と、右中桟２６の正面とは同じ位置にあり面一となるのが好ましい。
【００２５】
この例は、図１０（Ｂ）へ示す既設の治具ａを利用してコンビニエンスストアの軒へ基体２を取り付けるものであり、基体２の左右の幅に関し、下辺部２２の左右の幅は上記治具ａ左右の下鉤部ａ２間の間隔よりも大きく、上辺部２１の左右の幅は上記治具ａ左右の上鉤部ａ１間の間隔よりも大きい（図１（Ｂ））。
また図１０（Ｂ）へ示す既設の治具ａへの取り付けを行う幕保持部材１の基体２上下の幅と前後の厚みは、上記下鉤部ａ２や上鉤部ａ１へ収まる大きさとする。
上辺部２１、下辺部２２、左辺部２３、右辺部２４、左中桟２５及び右中桟２６には、軽量化の観点からアルミニウムの角棒或いはチャンネル材やＬ字型鋼といったアングル材などの断面Ｌ字型の長尺部材を用いるのが好ましい。但しスチールその他のアルミニウム以外の金属や合成樹脂、木材などの他の素材にて、基体１の上記各部を構成するものとしてもよい。
【００２６】
（屈伸部材３）
上記基体２の前面には、左右２つの屈伸部材３が設けられている。  
屈伸部材３は、その基端側が基体２へ軸止されて基体２に対し回動することができる枠体である。当該回動にて、屈伸部材３は先端側を基体２に対し屈伸することができるものであり、両屈伸部材３は上記回動により基体２の前面に対し開閉することができる。
詳しくは、図１（Ｂ）（Ｅ）及び図３（Ａ）（Ｂ）へ示す通り、各屈伸部材３は、基端となる基辺部３１と、一端が基辺部３１へ設けられた長辺部３２と、一端が基辺部３１へ設けられた短辺部３３と、先端となる挟持部３４とを備えた枠体である。
図１（Ｂ）及び図３（Ａ）、図４（Ａ）へ示す通り、この例では、左側の屈伸部材３（特許請求の範囲の左屈伸部材に包含される。）の基辺部３１は、ヒンジ３５により基体１の上記左中桟２５へ軸止され左中桟２５に沿って斜めに配置される。また、右側の屈伸部材３（特許請求の範囲の右屈伸部材に包含される。）の基辺部３１は、ヒンジ３５により基体１の上記右中桟２６へ軸止され右中桟２６に沿って斜めに配置される。即ち、基辺部３１は、後述の幕ｏを張る方向に対し斜めに交差する斜辺であり、図１（Ｂ）へ示す通り、当該斜辺の下端は、屈伸部材３を伸ばした状態において前記斜辺の上端よりも屈伸部材３の先端側に位置するものである。
【００２７】
上記長辺部３２と短辺部３３夫々の他の一端は、挟持部３４へ固定されている。
左側の屈伸部材３の基辺部３１は、ヒンジ３５（左側ヒンジ３５）にて基体２の左中桟２５へ上記の通り回動自在に軸止されて基体２の前面に対し屈伸部材３を開閉できる。また、右側の屈伸部材３の基端側３１は、上記左側ヒンジ３５とは別のヒンジ３５（右側ヒンジ３５）にて基体２の右中桟２６へ上記の通り回動自在に軸止されて基体２の前面に対し屈伸部材３を開閉できる。ヒンジ３５はこの例では蝶番であり、左右の中桟２５，２６へ２個づつ設けられているが、当該２個に限定するものではなく、左右夫々３個以上でも実施できるし、ピアノの鍵盤の蓋に用いられる蝶番に類する、長尺の蝶番であれば左右１個づつでも実施できる。
図１（Ｅ）及び図３（Ｂ）、図４（Ｂ）へ示す通り屈した状態にて両屈伸部材３は先端側を下方に向け、伸ばされることにて両屈伸部材３は先端側を左右に横方向に向け基体２の左右を延伸した状態とする。
【００２８】
より詳しくは、左右の屈伸部材３を伸ばして基体２の前面から開いたとき、長辺部３２が基体２の上辺部２１の下面に沿って配置され短辺部３３が基体２の下辺部２２の上面に沿って配置される。また左右の屈伸部材３を開いたとき、左側の屈伸部材３の長辺部３２と短辺部３３夫々の背面は基体２の左辺部２３の前面へ当接し、右側の屈伸部材３の長辺部３２と短辺部３３夫々の背面は、基体２の右辺部２４の前面へ当接する。上記にて屈伸部材３を開いて伸ばしたとき、屈伸部材３基部側即ち長辺部３２と短辺部３３夫々は、基体２の上辺部２１と下辺部２２との間へ収容されるのである。
屈伸部材３を伸ばしたとき、左右の屈伸部材３の基辺部３１の前面が幕保持部材１の前後方向について、上辺部２１及び下辺部２２の前面とほぼ同じ位置に配置される。当該配置に限定するものではないが、当該配置にて幕を張った際に幕に段差が生じるのを回避することができる。
【００２９】
そして、図１（Ｂ）へ示す通り、左側の屈伸部材３を開いた状態において、左側の屈伸部材３の挟持部３４は、基体２よりも左側へ突出する。また、右側の屈伸部材３を開いた状態において、右側の屈伸部材３の挟持部３４は、基体２よりも右側へ突出する。図１（Ｅ）へ示す通り、左側の屈伸部材３を閉じた状態において、左側の屈伸部材３は基体２よりも下方へ突出し、その挟持部３４を基体２の下方へ配置する。また、右側の屈伸部材３を閉じた状態において、右側の屈伸部材３は、基体２よりも下方へ突出し、その挟持部３４を基体２の下方へ配置する。
【００３０】
屈伸部材３の屈伸に際して、後述する治具ａの上下の鉤部ａ１，ａ２との当接を回避するため、両屈伸部材３を伸ばした状態において、上下方向について、各屈伸部材３の長辺部３２は基体２の上辺部２１から間隔を隔てるよう形成され、各屈伸部材３の短辺部３３は基体２の下辺部２２から間隔を隔てるよう形成されている。前記両間隔が上下の鉤部ａ１，ａ２を避けるためのマージンとなる。
【００３１】
上記の挟持部３４は、長辺部３２と短辺部３３の上記他の一端が固定された棒状の掌部３４ａと、掌部３４ａの両端に設けられた挟み部３４ｂとにより構成されている。両挟み部３４ｂは掌部３４ａから屈伸部材３の先端側へ向け突出する。
両挟み部３４ｂの先端間に上記保持部４が配置され、保持部４は両挟み部３４ｂへ回動自在に軸止されている。
屈伸部材３の各部材はアルミニウム製の角材又はチャンネル材やＬ字型鋼といったアングル材などの断面Ｌ字型の長尺部材を採用することができる。またスチールその他のアルミニウム以外の金属や合成樹脂、木材などの他の素材にて、屈伸部材３の上記各部を構成するものとしてもよい。但し、屈伸部材３は可動部として屈伸させるので軽量なアルミニウム製とするのが好ましい。
【００３２】
（保持部４）
屈伸部材３の挟持部３４に、上記の通り保持部４が設けられている。
以下必要に応じて、基体２前面にて、左側に配置される屈伸部材３の挟持部３４が挟持する保持部４を第１保持部４ａと呼び、右側に配置される屈伸部材３の挟持部３４が挟持する保持部４を第２保持部４ｂと呼ぶ。
各保持部４は、図７の各図へ示す通り、取付部４１と、付勢部４３とを備える。
付勢部４３はバネ等の弾性部材である。この例では、図１（Ｂ）（Ｅ）及び図３（Ａ）（Ｂ）へ示す通り、第１保持部４ａ及び第２保持部４ｂの双方が上記付勢部４３を備える。付勢部４３は、取付部４１の向きを一定とするように付勢できるものであれば、バネ以外の弾性部材を採用して実施できる。この例では、付勢部４３には、引きバネを採用する。
【００３３】
図１（Ｂ）（Ｅ）、図２（Ｃ）及び図７（Ａ）へ示す通り、取付部４１は、棒状の部材であり、その外周には長手方向に沿って溝４１ａが形成されている。棒状の取付部４１の長手方向と交差する方向の断面視において、溝４１ａは開口部分よりも奥が広くなっている。また溝４１ａの内部において、溝４１ａの淵付近には、窪み４１ｂが形成されている。
上述の通り取付部４１の両端が挟持部３４の挟み部３４ｂの夫々に軸止され、取付部４１は挟み部３４ｂに対し回動自在である。上記の通り付勢部４３は引きバネであり、付勢部４３の一端が挟持部３４の掌部３４ａに固定され付勢部４３の他の一端には掛け具４４が設けられる。図７（Ａ）へ示す通り、掛け具４４の基端側には上記付勢部４３の他の一端が取り付けられており、掛け具４４の先端側には、挿入係止部４５が設けられている。掛け具４４の基端側に付勢部４３である引きバネの自由端が引っ掛けられているのである。
【００３４】
挿入係止部４５は図７（Ａ）へ示す通り、Ｔ字型のアンカー状の部材である。当該アンカーのシャフト部分４５ａ即ちＴ字の縦部分をろう付けやネジ止めその他の周知の固定手段により掛け具４４へ固定し、挿入係止部４５を掛け具４４へ設ける。但し、当初より挿入係止部４５を掛け具４４と一体に形成するものとしても実施できる。この例では、図７（Ａ）へ示す通り、掛け具４４はその長手方向についてＬ字に屈曲しており、その屈曲点より先端側の側面に上記挿入係止部４５が設けられている。
アンカー状の挿入係止部４５のＴ字の横部分即ち上記シャフト部分４５ａと交差する部分は、前記アンカーの一対の引っ掛かり部分４５ｂ，４５ｃとして縦部分であるシャフト部分４５ａの先端から夫々横方向へ突出する。
【００３５】
屈伸部材３を屈した状態即ち屈伸部材３の先端側を下方へ向けた状態において、図７（Ａ）へ点線で示す通り、幕ｏを円筒状の取付部４１の外周面へ巻き付けて幕ｏの一端を上記取付部４１の溝４１ａ内へ挿入し、同様に挿入係止部４５の上記両引っ掛かり部分４５ｂ，４５ｃも、溝４１ａ開口部分の淵をかわしながら溝４１ａ内へ挿入する。このとき挿入する幕ｏの一端側を挿入係止部４５の先端へ巻きつけて幕ｏの当該一端側と挿入係止部４５の先端とを一緒に上記溝４１ａ内へ挿入すればよい。
上記図７（Ａ）へ示す状態において、上記溝４１ａの内部で上記窪み４１ｂは溝４１ａの上記開口部分の上側に位置する。また掛け具４４のなす上記Ｌ字の内側方向へ一方の引っ掛かり部分４５ｂが突出する（以下、支点部４５ｂと呼ぶ）。
【００３６】
上記挿入後、図７（Ｂ）へ示す通り、支点部４５ｂを上記窪み４１ｂ内へ配置する。上記挿入のために掴んでいた掛け具４４や挿入係止部４５、幕ｏを離すと、付勢部４３の付勢を受けて図７（Ｃ）へ示す通り、上記窪み４１ｂへ配置された支点部４５ｂを支点として挿入係止部４５が揺動し、支点部４５ｂと対なすもう一方の引っ掛かり部分４５ｃが溝４１ａの窪み４１ｂと反対側の淵へ引っ掛かり、幕ｏの一端側を溝４１ａから抜け出ないように保持部４へ係止することができる。
上記の通り軸止された取付部４１と付勢部４３とを設けておけば、幕ｏの寸法に若干の誤差があったとしても、屈伸部材３を伸ばすことにて幕ｏへテンションが掛った際、取付部４１が向きを修正し当該誤差を吸収することができる。即ち、上記の取付部４１と付勢部４３とが、張られる幕ｏのアジャスタとして機能する。
上記の図１〜図４、図７及び図８へ示す例では、第１保持部４ａと第２保持部４ｂの双方が付勢部４３を備えるものとした。この他第１保持部４ａと第２保持部４ｂのうち一方の保持部４のみが付勢部４３を備えるものとし、他方の保持部４は、付勢部４３を備えないものとしてもよい。一方の保持部４のみが付勢部４３を備える場合、付勢部４３を備えない他方の保持部４については、例えば、挟み部３４ｂに対し取付部４１を回動しないように固定し、更に幕ｏを取付部４１から脱落させないための固定具を設けておくものとすればよい。
【００３７】
（留具５）
図１（Ｂ）（Ｅ）へ示す通り、この例では留具５は、閂部５１と、閂持部５２と、シャフト５３と、把持部５４と、閂鎹部５５とを備える。この例では閂部５１は、各屈伸部材３の長辺部３２へ固定された閂持部５２から出没する突起である。当該出没により、閂部５１は、長辺部３２から短辺部３３と反対の方向へ向けて出没するのである。シャフト５３はその一端が閂部５１に連結され、他の一端が把持部５４へ連結されている。この例では把持部５４は、環状の部材である。尚５６はシャフト５３を通すブッシュを示している。
閂鎹部５５は、基体２の上辺部２１の突出端部２１ａの下面に設けられている。閂鎹部５５は、閂部５１を受容する受容部である。
閂部５１は閂持部５２に設けられたバネなどの弾性部材（図示しない。）にて閂持部５２から突出する方向に付勢されている。上記弾性部材の付勢に抗して把持部５４を引きシャフト５３を後退させて閂部５１を没せしめることができる。
【００３８】
閂部５１は突出方向へ向けて漸次先細りとなるよう斜面５１ａを備える。当該斜面５１ａは平らな面とする他曲面とすることができる。この例では、図２（Ａ）へ示す通り、斜面５１ａは凸曲面である。
図８（Ａ）へ示す通り、作業者は、第１保持部４の取付部４１へ幕ｏを取り付け、左右の屈伸部材３を、図８（Ｂ）へ示す通り順次伸ばして基体２の左右長手方向へ添わせる。上記にて図８（Ｂ）へ示す通り、幕ｏを治具ａに嵌められている基体３の前面へ張ることができる。
尚、上記屈伸部材３を伸ばす際に作業者の手が届かない場合、図８（Ａ）（Ｂ）へ示す長尺で先端に鉤状部分を備えた鉤棒であるフックｆにて、上記把持部５４を引っ掛けた状態に把持し、屈伸部材３を伸ばせばよい。
屈伸部材３の上記幕張りの動作は、幕ｏを省略して見せると、図１（Ｅ）の状態から図１（Ｂ）へ示す状態へ移行させるものである。
【００３９】
屈伸部材３を伸ばす上記過程において、閂部５１の斜面５１ａは、閂鎹部５５の側面と当接し、突出していた閂部５１は閂持部５２内へ後退し、受容部である閂鎹部５５の凹部に到達すると当該凹部内にて閂部５１は再び突出する。このようにして閂鎹部５５へ閂部５１が留められ、左右の屈伸部材３は、図８（Ｂ）へ示す幕ｏを張った状態を維持する。
幕ｏを交換する際は、指或いは上記フックｆを把持部５４へ掛けて引き、閂部５１を後退させて閂鎹部５５から閂部５１を外す。そして、上記と逆に屈伸部材３を図８（Ｂ）へ示す状態から図８（Ａ）の屈した状態に戻す。図８（Ａ）へ示す屈伸部材３が屈伸して保持部４を下方へ移行させることによって地上で幕ｏの付け替え作業が行えるのである。
【００４０】
（作動制御部６）
作動制御部６は、この例では、屈伸部材３の急激な屈伸を回避する緩衝手段として設けられている。具体的には、作動制御部６は、ダンパーを備えるものであり、図２（Ｂ）（Ｄ）、図３〜図６へ示す通り基体２の上辺部２１へ軸止されたシリンダ部６１と、シリンダ部６１から出没するピストン部６２と、ピストン部６２の先端側へその基端側が軸止された第１リンク部材６３と、第１リンク部材６３の先端側へその基端側が軸止され且つその先端側が屈伸部材３の基辺部３２へ軸止された第２リンク部材６４と、その基端側の夫々が左右の中桟２５，２６へ設けられたガイド部６５とを備える。ガイド部６５は、ピストン部６２の先端と当接してピストン部６２の先端を案内するガイド面６５ａを備える。ガイド面６５ａは、中桟２５，２６の長手方向に対して斜めに伸びる傾斜面である。ピストン部６２は気体圧にてピストン部６２の急激な動きを緩和するエアシリンダである。但し、ピストン部６２は気体圧に限らず油圧など液体圧を利用して作動するものであってもよい。
【００４１】
幕ｏの張替え時の図８（Ｂ）（図１（Ｂ））から図８（Ａ）（図１（Ｅ））へ移行する際の作動制御部６の動作について図５及び図６を用いて説明する。
図５（Ａ）は図８（Ｂ）（図１（Ｂ））へ示す屈伸部材３を伸ばした状態のときの作動制御部６を示している。図５（Ａ）へ示す通り、ピストン部６２に対し第１リンク部材６３はくの字に折れた状態となっており更に第２リンク部材６４と第１リンク部材６３同士もくの字に折れた状態となっている。図５（Ａ）へ示す通りこのとき、ピストン部６２の先端は、ガイド部６５の上記ガイド面６５ａへ当接してガイド部６５の先端寄りに位置する。
【００４２】
留具５による係止を解除し、屈伸部材３を下方へ回転させ始めると図５（Ｂ）へ示す通り、第２リンク部材６４に対し第１リンク部材６３がくの字の状態から伸びた状態へ移行し、第１リンク部材６３はピストン部６２に対しくの字の角度を更に鋭角とし、ピストン部６２先端は一旦ガイド面６５ａから離れる。
更に屈伸部材３の屈する方向への回転が進行すると、図５（Ｃ）へ示す通り、第２リンク部材６４に対し第１リンク部材６３が直線状態を経て上記と逆方向へ山をなすくの字となるよう折れ始める。このとき図５（Ｃ）へ示す通り、ピストン部６２先端は再びガイド面６５ａへ当接する。ピストン部６２先端が再びガイド面６５ａへ当接することにてピストン部６２が伸び切らないようにピストン部６２の可動範囲が規制され円滑な屈伸部材３の回転が可能となる。
【００４３】
図５（Ｃ）へ示す状態から更に屈伸部材３の屈する方向への回転が進行すると、図６（Ａ）へ示す通り、第２リンク部材６４に対し第１リンク部材６３が直角に近い状態まで上記逆くの字状に折れる。このとき第１リンク部材６３はピストン部６２へ重なるように折れ、ピストン部６２先端はガイド面６５ａ上をガイド６５の基端側へ向けて移動する。図６（Ａ）へ示す状態から屈伸部材３の屈する方向への回転が更に進行すると、図６（Ｂ）へ示す通り、第１リンク部材６３が第２リンク部材６４に対し直角をなし第１リンク部材６３は重なっていたピストン部６２から開き始める。このとき図６（Ｂ）へ示す通り、ピストン部６２の先端はガイド面６５ａから再び離れる。これまでシリンダ部６１から伸びる方向へ変位していたピストン部６２は第１リンク部材６３に押し返されて縮む方向へ変位する。
そして図６（Ｃ）へ示す通り屈伸部材３の屈する方向への回転が完了し屈伸部材３が完全に屈した状態になり、屈伸部材３の長辺部３２と短辺部３３とが基体２の下辺部２２前面と対面し当該下辺部２２と交差する（図１（Ｅ）及び図８（Ａ））。
【００４４】
上記の通り、作動制御部６は、基体２と屈伸部材３とに架け渡された、ダンパーを備えるものである。作動制御部６は、屈伸部材３の先端側が屈した状態のときには当該屈した状態から急に伸びないように屈伸部材３を制し、屈伸部材３の先端側を伸ばした状態のときには当該伸ばしたから急に屈しないように屈伸部材３を制して屈伸部材３の円滑な屈伸を可能とするものである。
【００４５】
（各部の寸法例）
具体的には、上記治具ａの左右の下鉤部ａ２間の一般的な間隔１６５０ｍｍに対して、図１（Ｂ）へ示す下辺部２２の左右の幅ｔ１は約２２３０ｍｍである。また、下鉤部ａ２と同様左右の上鉤部ａ１間の一般的な間隔１６５０ｍｍに対して、上辺部２１の左右の幅ｔ２は約２３５０ｍｍである。基体２の縦幅ｔ３は約４００ｍｍである。各掌部３４ａの幅ｔ４は約４０６ｍｍである。屈伸部材３を伸ばした状態において図１（Ｂ）へ示す通り、幕保持部材１の最大縦幅ｔ５は、約４３１ｍｍである。
挟み部３４ｂの基端から先端の幅ｔ６は約１６０ｍｍであり、左右の屈伸部材３を伸ばした幕保持部材１の左右の幅（最大幅）は、２７００ｍｍである。
【００４６】
屈伸部材３を伸ばした状態において、図１（Ｃ）へ示す通り取付部４１の最大径（前後幅ｔ９）は約２５ｍｍであり、最も前方に位置するヒンジ３５前端と中桟（基辺部３１）の後面との間の前後幅ｔ１０は約５０ｍｍであり、このとき最も後方へ突出する作動制御部６の後端と上記ヒンジ３５前端との間の前後幅ｔ１１は約９２．３ｍｍである。
【００４７】
屈伸部材３の屈した状態において図１（Ｅ）へ示す通り幕保持部材１の最大縦幅ｔ７は約９７４ｍｍであり、左右の保持部４ａ，４ｂ間の間隔ｔ８は約７４６ｍｍである。屈伸部材３を屈した状態において、両保持部４の先端は地面から約１６００ｍｍの高さに位置する、手が届く範囲にあり、脚立を用いなくとも地上で幕ｏの付け替え作業が行える。
但し幕保持部材１の上記各寸法は単なる例示であり、適宜変更可能である。
【００４８】
（建造物への幕保持部材１の取り付け）
建物への幕保持部材１の取り付けは、図１０（Ｂ）へ示す従来のものと同様である。
即ち、基体２は、コンビニエンスストアの建物ｃに既設の治具ａ（図１０（Ｂ）及び図８）を利用して、幕保持部材１が交換可能に建物ｃへ取り付ける。このとき基体２の治具ａへの取り付けは脚立を用いて行えばよい。
幕保持部材１の受け部となる上記治具ａは、上下方向について建物ｃの出入り口ｃ１（図１０）の上方に設けられたものである。治具ａは、基体１を取り付けた状態において基体１の後方から基体１の上端及び下端を越えて基体１の前面側へ先端を配置する上下の鉤部ａ１，ａ２を備える。建造物への幕保持部材１の取り付けに際しては、事前に幕ｏを幕保持部材１へセットして行うこともできるし、幕ｏのセット前の幕保持部材１を治具ａへ取り付けてから、幕保持部材１へ幕ｏをセットすることもできる。
幕保持部材１を治具ａへ取り付けた後幕ｏをセットする場合や、使用開始後既にセットしてある幕ｏを交換する場合、図８（Ａ）へ示す通り、各屈伸部材３を屈した状態にして、幕ｏを保持部４へ保持させ或いは既に取り付けられている幕ｏを交換すればよい。この幕ｏの基体２への取り付け作業は地上で行え脚立は不要である。
【００４９】
（幕保持部材１への幕ｏのセット）
屈伸部材３を屈した状態にして、第１保持部４ａにて幕ｏの一端を保持させ第２保持部４ｂにて幕ｏの他の一端を保持させ、作業者は手で或いは前述のフックｆを利用して両屈伸部材３先端側を屈した状態から伸ばすことにより、基体２に対し幕ｏを張った状態にセットすることができる。留具５の閂部５１は斜面５１ａの案内にて後退した後閂鎹部５５へ円滑に受容されて屈伸部材３を伸ばした状態に固定する。
幕ｏの交換時は前述の通り手で或いはフックｆにより把持部５４を引き下げ閂鎹部５５から閂部５１を外し、屈伸部材３の先端側を基体２の前面から下方へ下げればよい。尚上述のフックｆはシャッタの開閉などに用いるものを利用することができる。
【００５０】
（本発明の幕保持部材１の具体的なメリット）
上記幕ｏは、コンビニエンスストア店舗入口上部へ位置する「店頭幕」と呼ばれるものであり、特にキャンペーンの告知などを行うメディアである（図１０（Ａ））。
上記幕ｏの素材は布で、これまで店頭幕用の矩形の枠に周囲の四辺からテンションを掛けて張っていた。
【００５１】
現状の店頭幕の交換について、店頭幕の交換頻度は、１０〜２０日毎で、深夜にコンビニ従業員が交換作業を行っている。
店頭幕の交換作業は従業員が脚立に乗って、店頭幕取り付け用の上述の治具ａへ上下の鉤部ａ１，ａ２にて取り付けられている店頭幕を、当該幕を張っている上記枠ごと外し、店頭から降ろしたうえで幕の交換作業が行われていた。
現状の作業に必要な人員は最低２名であり、交換作業も１０〜２０分は要するものであり、交換作業は人員の頭数と時間を必要とするものであった。
【００５２】
本発明は、上記手間を不要とするものであり、店頭幕を脚立を用いて降ろす必要性をなくし、しかも１人で３〜５分程度慣れれば２分程度のスピーディさで交換作業を完了できるものとした。
従って、本発明は、安全で迅速な幕の交換を実現したのである。
【００５３】
より詳しくは、実施の形態レベルにおいて、本発明に係る幕保持部材１は、フレーム構造をセンターフレームをなす基体２と、左右サイドフレームをなす屈伸部材３とに分け、サイドフレームである屈伸部材３をヒンジ３５により折り畳みできる構造としたものである。そしてサイドフレームである屈伸部材３を折り畳む即ち屈した状態とすることにより、脚立なしで手が届く高さまで上記サイドフレームを降ろすことができる。
そして、本発明において、店頭幕（幕ｏ）へのテンションを負荷する方法は、上記の周囲四辺を引っ張るのではなく、上記サイドフレームの左右両端のみにてテンションを負荷するものした。そして本発明では、店頭幕を交換した後サイドフレームを展開する即ち屈伸部材３を伸ばすことにより店頭幕へテンションを自動的に掛けることができる構造を実現したのである。
【００５４】
（変更例）
上記において基体２は枠体としたが、一枚の矩形の板状体としてもよい。また、屈伸部材３についても上記の枠体とする他、矩形特に台形の輪郭を有する板状体としてもよい。
屈伸部材３は、基体２前面の左右夫々に設けられるものとした。この他、コンビニエンスストア店頭の横断幕の取り付け以外の場合などでは、屈伸部材３は左右の一方にのみ設けられるものとしても実施できる。例えば右側の屈伸部材３を備えないものとし基体２の右辺部２４に第２保持部４ｂを備えるものとしたり、左側の屈伸部材３を備えないものとし基体２の左辺部２３に第１保持部４ａを備えるものとしても実施できる。
【００５５】
幕保持部材１は、基体２前面に対し開閉にて屈伸するものとしたが、当該前面に沿って回動することにより屈伸するものとしても実施できる。
屈伸部材３はその長手方向について２箇所以上のヒンジ部を備え、複数のヒンジ部を中心とする回動即ち複数の間接の回動にて屈伸するものとしても実施できる。
また、屈伸部材３は、屈伸部材３の屈伸により上下に伸縮するものとし、縦長の幕を上下に張るものとしても実施できる。
保持部４は上記例に限定するものではなく、幕ｏの端部を幕保持部材１へ着脱自在に留めることができれば、他の形態を採用することも可能である。
ここで保持部４についての一変更例を示す。図９（Ａ）へ示す通り、この変更例では、第１及び第２の各保持部４は、取付部４１と、取付部４１とは別体に形成された固定具４２とを備える。付勢部４３は、第１保持部４ａと第２保持部４ｂの何れか一方にのみ設けるものとする。但し、図７に示す例と同様、第１保持部４ａと第２保持部４ｂの双方へ付勢部４３を設けるものとしてもよい。
この図９へ示す例では、棒状の取付部４１の外周には長手方向に沿って複数の溝４１ａが形成されている。各溝４１ａは等間隔の間隔を開けて形成されている。この例においても棒状の取付部４１の長手方向と交差する方向の断面視において、溝４１ａは開口部分よりも奥が広くなっている。取付部４１の両端が挟持部３４の挟み部３４ｂの夫々に軸止され、取付部４１は挟み部３４ｂに対し回動自在である。上記付勢部４３は引きバネであり、付勢部４３の一端が挟持部３４の掌部３４ａに固定され付勢部４３の他の一端が取付部４１へ固定されている。具体的には付勢部４３の上記他の一端は、図７へ示す例と異なり取付部４１の溝４１ａの一つへ外れないように固定されているのである。回動自在に軸止されている取付部４１ではあっても、外周面に力が加えられない限り、付勢部４３の付勢にて掌部３４ａに対する取付部４１の外周面の向きを一定とする。
【００５６】
図９（Ｂ）へ示す固定具４２は、弾力性を有する板材であり、取付部４１の外周面へ嵌めることにて取付部４１へ取り付けることができる。この例では、固定具４２は、Ｃ字形の金具である。
図９（Ｂ）へ示す通り、幕ｏを張る者は、先ず付勢部４３の上記付勢に抗し取付部４１を掴んで回転させることにて上記向きを変えた状態にし、上記溝４１ａの１つへセットする幕ｏの一端を収容する。取付部４１の向きを変えたまま、上記固定具４２を幕ｏの上から取付部４１へ嵌める。取付部４１と固定具４２の間へ幕ｏを挟むのである。掴んでいた取付部４１を離すと、図９（Ｃ）へ示す通り、付勢部４３の付勢にて取付部４１の向きは元の状態に戻る。溝４１ａへ幕ｏの一端を収容して固定具４２を取り付ける作業が円滑に行えるものであれば、取付部４１の向きを図９（Ｂ）のように変える必要はなく、図９（Ａ）の状態のまま上記作業を行えばよい。
固定具４２は、棒状である取付部４１の長手方向の複数個所へ取り付ける。但し、固定具４２を取付部４１の長手方向の幅に対応する長さを備えた断面Ｃ字の筒状に形成することにより、１つの固定具４２で１本の取付部４１へ対応するものとしてもよい。
図８（Ａ）へ示す通り、付勢部４３を備えない第１保持部４ａ側は、幕ｏの重みで取付部４１の向きは定まり、屈伸部材３を伸ばして基体２へ幕ｏを張った際には、幕ｏの張力や第２保持部４ｂの上記付勢部４３にて第１保持部４ａの取付部４１の向きは定まる。
【００５７】
また、留具５についても上記の閂構造に限定するものではなく、他の構成のものを採用することもできる。
上記の作動制御部６としてダンパー以外の周知の緩衝手段を採用して実施することができる。また上記緩衝手段に限定するものではなく、作動制御部６として、バネなどの付勢部材を採用することができる。例えば、当該付勢部材は基体２と屈伸部材３とに架け渡されたものとし、当該付勢部材は、屈伸部材３の先端側を屈したときには屈した状態を維持するように屈伸部材３を付勢し、当該付勢に抗して回転により屈伸部材３の先端側を伸ばしたときには当該伸ばした状態を維持するように屈伸部材３を付勢するものとすればよい。
幕保持部材１は、作動制御部６を備えるのが望ましいが、作動制御部６を備えずに実施することもできる。
【００５８】
更に幕保持部材２は、コンビニエンストスアの横断幕に限定するものではなく、他の建造物への取り付けや広告やキャンペーン以外の表示を行うものとしても実施できる。
幕保持部材１をコンビニエンスストアにて利用する場合も、上記既設の治具を利用するものに限定しない。
また、図１０（Ｂ）へ示す治具ａについても、当該図へ示すように上鉤部ａ１を取り外しておくのではなく、当初より治具ａへ固定し或いは下鉤部ａ２と同様治具ａと一体になったものとし、上鉤部ａ１の内側へ基体１上端側即ち上辺部２１を差し込んだ状態において、基体２を持ち上げて下鉤部ａ２を乗り越えることにより、下鉤部ａ２の内側への基体１の下端側即ち下辺部２２を収容するものとしてもよい。
更には、図示した例と異なり一旦治具ａへ取り付けた後の基体２は、幕ｏの交換のみ可能とし治具ａから取り外せないものとしても実施できる。
【符号の説明】
【００５９】
１      幕保持部材
２      基体
３      屈伸部材
４      保持部
４ａ    第１保持部
４ｂ    第２保持部
５      留具
６      作動制御部
２１    （基体２の）上辺部
２１ａ  （基体２の）突出端部
２２    （基体２の）下辺部
２３    （基体２の）左辺部
２４    （基体２の）右辺部
２５    （基体２の）左中桟
２６    （基体２の）右中桟
３１    （屈伸部材３の）基辺部
３２    （屈伸部材３の）長辺部
３３    （屈伸部材３の）短辺部
３４    （屈伸部材３の）挟持部
３４ａ  （挟持部３４の）掌部
３４ｂ  （挟持部３４の）挟み部
３５      ヒンジ
４１    （保持部４の）取付部
４１a    (取付部４１の）溝
４１ｂ  （溝４１ａ内の）窪み
４２    （保持部４の）固定具
４３    （取付部４１の）付勢部
４４      掛け具
４５      挿入係止部
４５ａ  （挿入係止部４５の）シャフト部分
４５ｂ  （挿入係止部４５の）引っ掛かり部分（支点部）
４５ｃ  （挿入係止部４５の）引っ掛かり部分
５１    （留具５の）閂部
５１ａ    斜面
５２    （留具５の）閂持部
５３    （留具５の）シャフト
５４    （留具５の）把持部
５５    （留具５の）閂鎹部
５６      ブッシュ
６１    （作動制御部６の）シリンダ部
６２    （作動制御部６の）ピストン部
６３    （作動制御部６の）第１リンク部材
６４    （作動制御部６の）第２リンク部材
６５    （作動制御部６の）ガイド部
６５ａ  （ガイド部６５の）ガイド面
ａ      治具（受け部）
ａ１    上鉤部
ａ２    下鉤部
ｂ    （従来の）枠
ｃ      建物
ｃ１    出入り口
ｆ      フック
ｏ      横断幕
【図１】
0006625448.tif 000002
【図２】
0006625448.tif 000003
【図３】
0006625448.tif 000004
【図４】
0006625448.tif 000005
【図５】
0006625448.tif 000006
【図６】
0006625448.tif 000007
【図７】
0006625448.tif 000008
【図８】
0006625448.tif 000009
【図９】
0006625448.tif 000010
【図１０】
0006625448.tif 000011